(57)【特許請求の範囲】
【請求項１】
入金貨幣の金種別枚数を出力できる複数の釣銭機と、
前記複数の釣銭機のうち２つの釣銭機の間での補充用貨幣の授受を管理する管理装置と、
を備え、
前記管理装置は、
前記複数の釣銭機から補充元釣銭機及び補充先釣銭機を選定し、
前記補充用貨幣の金種別枚数を決定し、
前記補充元釣銭機に前記補充用貨幣の出金を指示するとともに、前記補充先釣銭機に前記補充用貨幣の入金を指示し、
前記補充先釣銭機に入金された補充用貨幣の金種別枚数が前記補充先釣銭機から通知され、通知されたこの金種別枚数と、前記補充元釣銭機に対して出金を指示した補充用貨幣の金種別枚数とを照合することを特徴とする釣銭機システム。
【請求項２】
前記複数の釣銭機は、貨幣の補充を要求する補充要求信号を前記管理装置へ出力することができ、
前記管理装置は、前記補充要求信号を出力した釣銭機を前記補充先釣銭機に決定することを特徴とする請求項１に記載の釣銭機システム。
【請求項３】
前記複数の釣銭機は、必要とする補充用貨幣の金種別枚数を含む前記補充要求信号を前記管理装置へ出力することができ、
前記管理装置は、前記補充要求信号に含まれる補充用貨幣の金種別枚数に基づいて、前記補充元釣銭機に出金を指示する補充用貨幣の金種別枚数を決定することを特徴とする請求項２に記載の釣銭機システム。
【請求項４】
前記管理装置は、複数の釣銭機に対して、金種別枚数を決定した前記補充用貨幣の出金が可能か否か問い合わせ、出金可能と応答した釣銭機の中から前記補充元釣銭機を選定することを特徴とする請求項１乃至３のいずれか１項に記載の釣銭機システム。
【請求項５】
前記複数の釣銭機は、機内の貨幣の在高データを前記管理装置へ出力し、
前記管理装置は、前記複数の釣銭機から前記在高データを受け取って各釣銭機の在高を管理し、各釣銭機の在高に基づいて、前記補充元釣銭機及び前記補充先釣銭機を選定することを特徴とする請求項１に記載の釣銭機システム。
【請求項６】
前記管理装置は、照合結果が不一致の場合に警報を報知することを特徴とする請求項１乃至５のいずれか１項に記載の釣銭機システム。
【請求項７】
入出金貨幣の金種別枚数を出力できる複数の釣銭機と、
前記複数の釣銭機のうち２つの釣銭機の間での貨幣の両替を管理する管理装置と、
を備え、
前記管理装置は、
前記複数の釣銭機から、両替を行う第１釣銭機及び第２釣銭機を選定し、
前記第１釣銭機が出金する第１貨幣の金種別枚数を決定して、前記第１釣銭機に前記第１貨幣の出金を指示し、
前記第１貨幣と同額かつ異金種の貨幣からなる第２貨幣の金種別枚数を決定し、前記第２釣銭機に対して、前記第１貨幣の入金に伴う前記第２貨幣の出金を指示し、
前記第１釣銭機に入金された前記第２貨幣の金額が前記第１釣銭機から通知され、通知されたこの金額と、前記第１貨幣の金額とを照合することを特徴とする釣銭機システム。
【請求項８】
前記複数の釣銭機は、貨幣の両替を要求する両替要求信号を前記管理装置へ出力することができ、
前記管理装置は、前記両替要求信号を出力した釣銭機を前記第１釣銭機に決定し、
前記第１貨幣の金種は、前記第２貨幣の金種より高額であることを特徴とする請求項７に記載の釣銭機システム。
【請求項９】
前記管理装置は、複数の釣銭機に対して、前記第２貨幣の出金が可能か否か問い合わせ、出金可能と応答した釣銭機の中から前記第２釣銭機を選定することを特徴とする請求項８に記載の釣銭機システム。
【請求項１０】
前記複数の釣銭機は、貨幣の両替を要求する両替要求信号を前記管理装置へ出力することができ、
前記管理装置は、前記両替要求信号を出力した釣銭機を前記第２釣銭機に決定し、
前記第１貨幣の金種は、前記第２貨幣の金種より低額であることを特徴とする請求項７に記載の釣銭機システム。
【請求項１１】
前記管理装置は、複数の釣銭機に対して、前記第１貨幣の出金が可能か否か問い合わせ、出金可能と応答した釣銭機の中から前記第１釣銭機を選定することを特徴とする請求項１０に記載の釣銭機システム。
【請求項１２】
前記複数の釣銭機は、第１金種から第２金種への貨幣両替を要求する前記両替要求信号を前記管理装置へ出力し、
前記管理装置は、前記両替要求信号に含まれる貨幣両替の要求に基づいて、前記第１貨幣及び前記第２貨幣の金種を決定することを特徴とする請求項８乃至１１のいずれか１項に記載の釣銭機システム。
【請求項１３】
前記複数の釣銭機は、機内の貨幣の在高データを前記管理装置へ出力し、
前記管理装置は、前記複数の釣銭機から前記在高データを受け取って各釣銭機の在高を管理し、各釣銭機の在高に基づいて、前記第１釣銭機及び前記第２釣銭機を選定することを特徴とする請求項７に記載の釣銭機システム。
【請求項１４】
前記管理装置は、前記第１釣銭機及び前記第２釣銭機の在高に基づいて、前記第１貨幣及び前記第２貨幣の金種別枚数を決定することを特徴とする請求項１３に記載の釣銭機システム。
【請求項１５】
前記管理装置は、照合結果が不一致の場合に警報を報知することを特徴とする請求項７乃至１４のいずれか１項に記載の釣銭機システム。
【発明の詳細な説明】
【技術分野】
【０００１】
本発明は、スーパーマーケット等の店舗内のレジ間で貨幣の補充や両替を厳正に行う釣銭機システムに関する。
【背景技術】
【０００２】
スーパーマーケットや量販店等の小売店舗には、複数のＰＯＳ（Point of Sales）レジスタと、各ＰＯＳレジスタに接続された釣銭機が設置されている。また、店舗の後方（出納室）には、レジ毎に必要な現金を払い出したり、レジ係員がレジスタから回収してきた現金を入金処理したり、貨幣の両替を行ったりする現金処理機が設置されている。このような店舗では、各レジで釣銭用硬貨が不足した場合、レジ係員が釣銭機内の紙幣を持って店舗後方の現金処理機の場所まで行き、現金処理機で両替した硬貨を持ってレジに戻り、釣銭機に硬貨を補充している。
【０００３】
レジの釣銭機と店舗後方の現金処理機との間で貨幣の移動を行う場合に、貨幣の受け渡しを厳正化するために、釣銭機、レジスタ、管理装置、及び店舗後方の現金処理機を接続し、管理装置が、両替／補充金額、釣銭機の入金／出金額、現金処理機の入金／出金額を管理し、両替／補充が正常に行われたか否かを判定するシステムが提案されている（例えば特許文献１参照）。また、ホスト計算機が釣銭機の金銭入出力情報を収集し、釣銭機への貨幣補充タイミングを適正化したシステムが提案されている（例えば特許文献２参照）。
【０００４】
しかし、このような従来のシステムでは、釣銭機への貨幣の補充や両替は、店舗後方の現金処理機との間で行われており、売り場のレジと店舗後方との間で現金を運ぶため、現金の運搬に時間がかかっていた。
【０００５】
また、貨幣の補充や両替に要する時間を短縮するために、レジ間でレジ係員同士が補充や両替を行うと、レジ係員が、他のレジから受け取った貨幣を釣銭機に入金することを忘れたりして、違算が発生するおそれがあった。
【先行技術文献】
【特許文献】
【０００６】
【特許文献１】特開２００５−２７５８０４号公報
【特許文献２】特許第３５７０３４１号公報
【発明の概要】
【発明が解決しようとする課題】
【０００７】
本発明は、レジ間での貨幣の補充や両替を厳正に行い、違算の発生を防止する釣銭機システムを提供することを目的とする。
【課題を解決するための手段】
【０００８】
本発明の一態様による釣銭機システムは、貨幣の入出金処理及び計数を行い、互いに通信可能に接続された第１釣銭機及び第２釣銭機を備える釣銭機システムであって、前記第１釣銭機は、補充用貨幣の出金指示を受け付け、前記出金指示に基づいて貨幣の出金処理を行うとともに、出金した貨幣の金種別枚数を含む出金情報を前記第２釣銭機へ送信し、前記第２釣銭機は、補充用貨幣の入金指示を受け付け、前記入金指示に基づいて貨幣の入金処理を行い、入金貨幣の計数結果と、前記第１釣銭機から受信した前記出金情報に含まれる金種別枚数とを照合するものである。
【０００９】
本発明の一態様による釣銭機システムにおいては、前記第１釣銭機は、前記補充用貨幣として出金する貨幣の金種別枚数が入力される入力部を有することが好ましい。
【００１０】
本発明の一態様による釣銭機システムにおいては、前記第１釣銭機は、包装硬貨を収納し、開閉可能な収納部と、前記収納部から取り出された包装硬貨の金種別個数を検出する検出部と、を有し、前記出金指示に基づいて前記収納部を開放し、前記収納部の開放中に前記収納部から取り出された包装硬貨の金種別個数を、前記検出部に検出させ、前記収納部の閉鎖後に、前記検出部の検出結果を用いて前記出金情報を生成することが好ましい。
【００１１】
本発明の一態様による釣銭機システムにおいては、前記第２釣銭機は、照合結果が不一致の場合に警報を報知することが好ましい。
【００１２】
本発明の一態様による釣銭機システムにおいては、前記第２釣銭機は、照合結果を第１釣銭機に通知し、前記第１釣銭機は、前記第２釣銭機から通知された照合結果が不一致の場合に警報を報知することが好ましい。
【００１３】
本発明の一態様による釣銭機システムにおいては、前記第２釣銭機は、前記第１釣銭機から前記出金情報を受信してから所定時間以内に、前記補充用貨幣の入金指示に基づく貨幣の入金処理を行わない場合は、警報を報知することが好ましい。
【００１４】
本発明の一態様による釣銭機システムは、入金貨幣の金種別枚数を出力できる複数の釣銭機と、前記複数の釣銭機のうち２つの釣銭機の間での補充用貨幣の授受を管理する管理装置と、を備え、前記管理装置は、前記複数の釣銭機から補充元釣銭機及び補充先釣銭機を選定し、前記補充用貨幣の金種別枚数を決定し、前記補充元釣銭機に前記補充用貨幣の出金を指示するとともに、前記補充先釣銭機に前記補充用貨幣の入金を指示し、前記補充先釣銭機に入金された補充用貨幣の金種別枚数が前記補充先釣銭機から通知され、通知されたこの金種別枚数と、前記補充元釣銭機に対して出金を指示した補充用貨幣の金種別枚数とを照合するものである。
【００１５】
本発明の一態様による釣銭機システムにおいては、前記複数の釣銭機は、貨幣の補充を要求する補充要求信号を前記管理装置へ出力することができ、前記管理装置は、前記補充要求信号を出力した釣銭機を前記補充先釣銭機に決定することが好ましい。
【００１６】
本発明の一態様による釣銭機システムにおいては、前記複数の釣銭機は、必要とする補充用貨幣の金種別枚数を含む前記補充要求信号を前記管理装置へ出力することができ、前記管理装置は、前記補充要求信号に含まれる補充用貨幣の金種別枚数に基づいて、前記補充元釣銭機に出金を指示する補充用貨幣の金種別枚数を決定することが好ましい。
【００１７】
本発明の一態様による釣銭機システムにおいては、前記管理装置は、複数の釣銭機に対して、金種別枚数を決定した前記補充用貨幣の出金が可能か否か問い合わせ、出金可能と応答した釣銭機の中から前記補充元釣銭機を選定することが好ましい。
【００１８】
本発明の一態様による釣銭機システムにおいては、前記複数の釣銭機は、機内の貨幣の在高データを前記管理装置へ出力し、前記管理装置は、前記複数の釣銭機から前記在高データを受け取って各釣銭機の在高を管理し、各釣銭機の在高に基づいて、前記補充元釣銭機及び前記補充先釣銭機を選定することが好ましい。
【００１９】
本発明の一態様による釣銭機システムにおいては、前記管理装置は、照合結果が不一致の場合に警報を報知することが好ましい。
【００２０】
本発明の一態様による釣銭機システムは、貨幣の入出金処理及び計数を行い、互いに通信可能に接続された第１釣銭機及び第２釣銭機を備える釣銭機システムであって、前記第１釣銭機は、両替貨幣出金指示を受け付けると、第１金種の貨幣を含む第１両替貨幣を出金するとともに、前記第１両替貨幣の金額を前記第２釣銭機に通知し、前記第１両替貨幣の金額を通知した後に、両替貨幣入金指示を受け付けるとともに前記第１金種とは異なる第２金種の貨幣を含む第２両替貨幣が入金されると、前記第１両替貨幣の出金額と、前記第２両替貨幣の入金額とを照合し、前記第２釣銭機は、前記第１釣銭機から前記第１両替貨幣の金額が通知されるとともに前記第１両替貨幣が入金されると、前記第２金種の貨幣を含み前記第１両替貨幣の金額と同額の前記第２両替貨幣を出金するものである。
【００２１】
本発明の一態様による釣銭機システムにおいては、前記第２釣銭機は、包装硬貨を収納し、開閉可能な収納部と、前記収納部から取り出された包装硬貨の金種別個数を検出する検出部と、を有し、前記第１両替貨幣が入金されると前記収納部を開放し、前記収納部の開放中に前記収納部から取り出された包装硬貨の金種別個数を、前記検出部に検出させ、前記収納部の閉鎖後に前記検出部の検出結果を用いて前記第２両替貨幣の金額を算出し、入金された前記第１両替貨幣の金額と、算出した前記第２両替貨幣の金額とが一致しない場合に警報を報知することが好ましい。
【００２２】
本発明の一態様による釣銭機システムにおいては、前記第１釣銭機は、包装硬貨を収納し、開閉可能な収納部と、前記収納部から取り出された包装硬貨の金種別個数を検出する検出部と、を有し、前記両替貨幣出金指示を受け付けると前記収納部を開放し、前記収納部の開放中に前記収納部から取り出された包装硬貨の金種別個数を、前記検出部に検出させ、前記収納部の閉鎖後に前記検出部の検出結果を用いて前記第１両替貨幣の金額を算出することが好ましい。
【００２３】
本発明の一態様による釣銭機システムにおいては、前記第１釣銭機は、前記第２釣銭機に対して、前記第１両替貨幣の金額を通知するとともに、前記第２釣銭機が出金する両替貨幣の金種を指定することが好ましい。
【００２４】
本発明の一態様による釣銭機システムは、入出金貨幣の金種別枚数を出力できる複数の釣銭機と、前記複数の釣銭機のうち２つの釣銭機の間での貨幣の両替を管理する管理装置と、を備え、前記管理装置は、前記複数の釣銭機から、両替を行う第１釣銭機及び第２釣銭機を選定し、前記第１釣銭機が出金する第１貨幣の金種別枚数を決定して、前記第１釣銭機に前記第１貨幣の出金を指示し、前記第１貨幣と同額かつ異金種の貨幣からなる第２貨幣の金種別枚数を決定し、前記第２釣銭機に対して、前記第１貨幣の入金に伴う前記第２貨幣の出金を指示し、前記第１釣銭機に入金された前記第２貨幣の金額が前記第１釣銭機から通知され、通知されたこの金額と、前記第１貨幣の金額とを照合するものである。
【００２５】
本発明の一態様による釣銭機システムにおいては、前記複数の釣銭機は、貨幣の両替を要求する両替要求信号を前記管理装置へ出力することができ、前記管理装置は、前記両替要求信号を出力した釣銭機を前記第１釣銭機に決定し、前記第１貨幣の金種は、前記第２貨幣の金種より高額であることが好ましい。
【００２６】
本発明の一態様による釣銭機システムにおいては、前記管理装置は、複数の釣銭機に対して、前記第２貨幣の出金が可能か否か問い合わせ、出金可能と応答した釣銭機の中から前記第２釣銭機を選定することが好ましい。
【００２７】
本発明の一態様による釣銭機システムにおいては、前記複数の釣銭機は、貨幣の両替を要求する両替要求信号を前記管理装置へ出力することができ、前記管理装置は、前記両替要求信号を出力した釣銭機を前記第２釣銭機に決定し、前記第１貨幣の金種は、前記第２貨幣の金種より低額であることが好ましい。
【００２８】
本発明の一態様による釣銭機システムにおいては、前記管理装置は、複数の釣銭機に対して、前記第１貨幣の出金が可能か否か問い合わせ、出金可能と応答した釣銭機の中から前記第１釣銭機を選定することが好ましい。
【００２９】
本発明の一態様による釣銭機システムにおいては、前記複数の釣銭機は、第１金種から第２金種への貨幣両替を要求する前記両替要求信号を前記管理装置へ出力し、前記管理装置は、前記両替要求信号に含まれる貨幣両替の要求に基づいて、前記第１貨幣及び前記第２貨幣の金種を決定することが好ましい。
【００３０】
本発明の一態様による釣銭機システムにおいては、前記複数の釣銭機は、機内の貨幣の在高データを前記管理装置へ出力し、前記管理装置は、前記複数の釣銭機から前記在高データを受け取って各釣銭機の在高を管理し、各釣銭機の在高に基づいて、前記第１釣銭機及び前記第２釣銭機を選定することが好ましい。
【００３１】
本発明の一態様による釣銭機システムにおいては、前記管理装置は、前記第１釣銭機及び前記第２釣銭機の在高に基づいて、前記第１貨幣及び前記第２貨幣の金種別枚数を決定することが好ましい。
【００３２】
本発明の一態様による釣銭機システムにおいては、前記管理装置は、照合結果が不一致の場合に警報を報知することが好ましい。
【発明の効果】
【００３３】
本発明によれば、レジ間での貨幣の補充や両替を厳正に行い、違算の発生を防止することができる。
【図面の簡単な説明】
【００３４】
【図１】本発明の第１の実施形態に係る釣銭機システムのブロック構成図である。
【図２】釣銭機の斜視図である。
【図３】硬貨釣銭機及び紙幣釣銭機のブロック構成図である。
【図４】棒金収納部の斜視図である。
【図５】棒金収納部の概略縦断面図である。
【図６】棒金収納部のブロック構成図である。
【図７】同第１の実施形態に係る釣銭機間での補充処理を説明するタイミングチャートである。
【図８】本発明の第２の実施形態に係る釣銭機システムのブロック構成図である。
【図９】同第２の実施形態に係る釣銭機間での補充処理を説明するタイミングチャートである。
【図１０】本発明の第３の実施形態に係る釣銭機間での両替処理を説明するタイミングチャートである。
【図１１】本発明の第４の実施形態に係る釣銭機間での両替処理を説明するタイミングチャートである。
【発明を実施するための形態】
【００３５】
以下、本発明の実施の形態を図面に基づいて説明する。
【００３６】
（第１の実施形態）図１に本発明の第１の実施形態に係る釣銭機システムのブロック構成を示す。釣銭機システムは、ＬＡＮ等により互いに通信可能に接続された釣銭機１Ａ、釣銭機１Ｂ、及び釣銭機１Ｃを備えている。釣銭機１Ａ、１Ｂ、１Ｃにはそれぞれ、顧客の購入商品の登録、釣銭額の算出、釣銭の出金指示を行うレジスタ２Ａ、２Ｂ、２Ｃが接続されている。釣銭機１Ａ、１Ｂ、１Ｃは、レジスタ２Ａ、２Ｂ、２Ｃから指示された金額の釣銭を出金することができる。
【００３７】
次に釣銭機１Ａ、１Ｂ、１Ｃの構成について、図２〜図６を用いて説明する。なお、釣銭機１Ａ、１Ｂ、１Ｃは同じ構成であるため、ここでは釣銭機１Ａの構成について説明する。図２に示すように、釣銭機１Ａは、硬貨釣銭機１００、紙幣釣銭機２００、及び棒金収納部３００を備えている。
【００３８】
図３に硬貨釣銭機１００及び紙幣釣銭機２００のブロック構成を示す。硬貨釣銭機１００及び紙幣釣銭機２００は、それぞれ制御部１３０、２３０を有する。制御部１３０、２３０は互いに接続されており、制御部２３０はレジスタ２Ａ、棒金収納部３００、釣銭機１Ｂ、１Ｃにも接続される。
【００３９】
硬貨釣銭機１００は、外部から硬貨を受け入れる硬貨受入部１１４、硬貨受入部１１４から受け入れた受入硬貨の識別計数を行う硬貨識別部１０１、硬貨識別部１０１による識別結果に応じて受入硬貨を額面別に収納する硬貨収納部１０６、及び機内の貨幣を外部に払い出す硬貨払出部１１６を備える。
【００４０】
図２に示すように、硬貨釣銭機１００は前部上面に操作表示部１１２を有する筐体１１０を備える。筐体１１０の前部には硬貨受入部１１４及び硬貨払出部１１６が設けられている。
【００４１】
硬貨受入部１１４は受け入れた硬貨を１層１列状態で１枚ずつ機内へ取り込む。受入部１１４の後方には取り込まれた硬貨を搬送する入金搬送部１０３が延びている。
【００４２】
この入金搬送部１０３の途中には硬貨の識別・計数を行う硬貨識別部１０１と、分岐部１０４が設けられている。分岐部１０４は硬貨識別部１０１の識別結果に基づいて、リジェクト硬貨等の硬貨払出部１１６から払い出される（放出される）硬貨を出金搬送部１０８へ案内（搬送）する。
【００４３】
正常硬貨等の機内に収納される硬貨は入金搬送部１０３により硬貨収納部１０６へ搬送される。硬貨収納部１０６は硬貨を金種別に収納し、例えば入金搬送部１０３の上流側から高額順に硬貨を収納する。
【００４４】
出金搬送部１０８は硬貨収納部１０６に収納された硬貨を取り出して、硬貨払出部１１６へ搬送する。また、分岐部１０４から案内された硬貨を硬貨払出部１１６へ搬送する。
【００４５】
制御部１３０は硬貨釣銭機１００の各部の制御を行う。また、制御部１３０は、入金された硬貨の計数結果を硬貨識別部１０１から受け取り、紙幣釣銭機２００の制御部２３０に通知する。
【００４６】
次に、紙幣釣銭機２００の構成を説明する。紙幣釣銭機２００は、外部から紙幣を受け入れる受入部２１４、受入部２１４から受け入れた紙幣の識別計数を行う識別部２０１、識別部２０１による識別結果に応じて紙幣を金種別に収納する収納部２０６、及び機内の紙幣を外部に払い出す払出部２１６を備える。
【００４７】
図２及び図３に示すように、紙幣釣銭機２００は、筐体２１０と、この筐体２１０内の略中央部に設けられた環状の周回搬送部２０３ａとを備えている。また、受入部２１４、収納部２０６、払出部２１６、出金リジェクト部２０４、及び回収カセット２０７が、周回搬送部２０３ａの外周を取り囲むように配置されている。
【００４８】
また、受入部２１４、各収納部２０６、払出部２１６、出金リジェクト部２０４、及び回収カセット２０７と、周回搬送部２０３ａとの間を接続する紙幣の接続搬送部２０３ｂがそれぞれ形成されている。周回搬送部２０３ａには、通過する紙幣の識別・計数を行う識別部２０１が設けられている。
【００４９】
また、周回搬送部２０３ａと各接続搬送部２０３ｂとの間で紙幣の搬送経路を切り替える経路切替部（図示せず）が周回搬送部２０３ａに沿って配置されている。
【００５０】
図２及び図３に示すように、筐体２１０の前面には受入部２１４の受入口２１４ａと、払出部２１６の取出口２１６ａとが設けられている。回収カセット２０７は筐体２１０に対して着脱自在に取り付けられている。また、筐体２１０の前部上面に操作表示部２１２が設けられている。
【００５１】
操作表示部２１２は、補充用貨幣の出金指示や、補充用貨幣の入金指示を受け付けることができる。ここで、補充用貨幣の出金とは、貨幣在高が少なくなった他の釣銭機のために貨幣を出金することをいう。また、補充用貨幣の入金とは、釣銭機１Ａ自身の貨幣在高が少なくなった場合に、他の釣銭機から出金された貨幣を入金することをいう。
【００５２】
受入部２１４は受入口２１４ａに挿入された紙幣を１枚ずつ取り込んで、周回搬送部２０３ａ側へ繰り出す。各収納部２０６は、識別部２０１の識別結果に基づいて紙幣を金種別に収納する。払出部２１６は、各収納部２０６から取り出された紙幣を取出口２１６ａより放出する。
【００５３】
出金リジェクト部２０４は、収納部２０６から繰り出された紙幣のうち、斜行等により識別部２０１で識別のできない紙幣を出金リジェクト紙幣として収納する。また、受入部２１４から取り込まれた紙幣のうち、汚損等により識別部２０１で識別のできない紙幣はリジェクト紙幣として払出部２１６に返却される。
【００５４】
制御部２３０は紙幣釣銭機２００の各部の制御を行う。また、制御部２３０は、入金された紙幣の計数結果を識別部２０１から受け取り、制御部１３０から通知された硬貨入金額を加算することで、釣銭機１Ａへの入金額を算出することができる。また、制御部２３０はメモリ２２０に対してデータの読み書きを行うことができる。
【００５５】
操作表示部２１２を介して補充用貨幣の出金指示や入金指示を受け付けた場合の制御部１３０、２３０の処理については後述する。
【００５６】
図４は棒金収納部３００の斜視図である。棒金収納部３００は、棒金（包装硬貨）を収納するために用いられるものであり、筐体３０１と、筐体３０１に対して引き出し自在に設けられるドロア３０２とを備えている。図４に示すように、ドロア３０２には、棒金を１本ずつ収納可能な収納領域３０３が複数設けられている。各収納領域３０３における棒金の収納姿勢は、棒金の軸線がドロア３０２の引き出し方向と直交する方向を向いた姿勢である。
【００５７】
また、図５に示すように、筐体３０１の下面内方には光を発光する発光部３１０が設けられ、筐体３０１の上面内方には発光部３１０によって発光された光を受光する受光部３１１が設けられている。
【００５８】
また、図６に示すように、収納領域３０３の下面にはスリット３２１、３２２、３２３が設けられており、発光部３１０から発光された光は、このスリット３２１、３２２、３２３を通過する。すなわち、発光部３１０、受光部３１１は、スリット３２１、３２２、３２３に対応する箇所（３箇所）に設けられている。
【００５９】
また、図５に示すように、ドロア３０２と筐体３０１との間には、制御部３３０に接続されたロータリエンコーダ３１２が設けられており、ドロア３０２の筐体３０１に対する位置を検出することができるようになっている。
【００６０】
制御部３３０は、ドロア３０２をロックして引き出し不能にしたり、ロックを解除して引き出し可能にしたりすることができる。また、制御部３３０は、発光部３１０、受光部３１１、及びロータリエンコーダ３１２から得られる情報に基づいて棒金の直径を検出し、金種の判定を行うことができる。そのため、制御部３３０は、収納領域３０３における棒金の有無や、収納されている棒金の金種を検出することができ、棒金収納部３００内に収納されている棒金の金種別の個数や合計金額を算出することができる。また、制御部３３０は、紙幣釣銭機２００の制御部２３０に接続されており、棒金収納部３００内に収納されている棒金の金種別の個数や合計金額を制御部２３０に通知することができる。
【００６１】
次に、紙幣釣銭機２００の操作表示部２１２を介して補充用貨幣の出金指示を受け付けた場合の制御部１３０、２３０の処理について説明する。操作表示部２１２は、出金指示として、出金額（金種別枚数）と、補充先釣銭機（出金した補充用貨幣が補充される釣銭機）の情報とを受け付ける。
【００６２】
操作表示部２１２が補充用貨幣の出金指示を受け付けると、制御部２３０は、指示された金額（金種別枚数）に含まれる紙幣分を払出部２１６から放出させる。また、制御部２３０は、出金指示された金額に含まれる硬貨分を制御部１３０に通知する。制御部１３０は制御部２３０から通知された金額の硬貨を硬貨払出部１１６から払い出す。
【００６３】
制御部２３０は、補充用貨幣の出金後、出金した貨幣の金額（金種別枚数）、すなわち出金指示された金額（金種別枚数）を用いて出金情報を作成する。そして、制御部２３０は、補充先釣銭機として指定された釣銭機（釣銭機１Ｂ又は１Ｃ）の制御部２３０へ出金情報を送信する。
【００６４】
また、補充用貨幣の出金指示に棒金硬貨の出金が含まれている場合、制御部２３０は制御部３３０に棒金硬貨の出金を通知する。制御部３３０は、制御部２３０からの通知に伴いドロア３０２のロックを解除して引き出し（開放）可能にする。制御部３３０は、ドロア３０２が引き出された後に戻される（閉鎖される）と、ドロア３０２をロックするとともに、棒金収納部３００内に収納されている棒金の金種別個数を算出する。そして、制御部３３０は、ドロア３０２の開放前の棒金の金種別個数と閉鎖後の棒金の金種別個数との差から、棒金収納部３００から取り出された棒金の金種別個数を算出し、制御部２３０に通知する。棒金１個あたりの硬貨の枚数は、金種毎に予め定められた枚数となっているので、棒金の金種別個数から硬貨の金種別枚数を算出し、出金金額を知ることができる。制御部２３０は、この金額（金種別枚数）と、出金指示された金額とを比較し、一致していればこの金額（金種別枚数）を用いて出金情報を作成し、送信する。
【００６５】
次に、紙幣釣銭機２００の操作表示部２１２を介して補充用貨幣の入金指示を受け付けた場合の制御部１３０、２３０の処理について説明する。
【００６６】
釣銭機１Ａの操作表示部２１２が補充用貨幣の入金指示を受け付ける場合、釣銭機１Ａに入金される補充用貨幣は他の釣銭機から出金されており、釣銭機１Ａの制御部２３０は、他の釣銭機から出金情報を受信する。制御部２３０は、受信した出金情報を、メモリ２２０に書き込む。
【００６７】
制御部１３０は、操作表示部２１２が入金指示を受け付けた後に硬貨釣銭機１００に入金された硬貨の計数結果を制御部２３０に通知する。制御部２３０は、操作表示部２１２が入金指示を受け付けた後に紙幣釣銭機２００に入金された紙幣の計数結果と、制御部１３０から通知された計数結果とを用いて入金貨幣の金種別枚数を求め、メモリ２２０に記憶されている出金情報に含まれている金額（金種別枚数）と照合する。制御部２３０は照合結果が不一致の場合は、図示しない報知部を用いて警報を報知する。これにより、釣銭機１Ａに入金された補充用貨幣が、他の釣銭機から出金された補充用貨幣と一致していないことが分かる。
【００６８】
また、釣銭機１Ａの制御部２３０は照合結果を出金情報の送信元に通知する。照合結果が不一致であった場合、補充用貨幣を出金した釣銭機においても警報を報知する。これにより、他の釣銭機においても、出金した補充用貨幣が、釣銭機１Ａに入金された補充用貨幣と一致していないことが分かる。
【００６９】
また、制御部２３０は、他の釣銭機から出金情報を受信してから所定時間以内に、操作表示部２１２を介した補充用貨幣の入金指示に基づく貨幣の入金処理が行われない場合は、警報を報知する。「所定時間」は、係員が、釣銭機から出金された補充用貨幣を、補充を必要とする釣銭機まで持ち運ぶのに要する時間を考慮して予め設定された時間である。これにより、他の釣銭機で出金された補充用貨幣の入金忘れを防止できる。
【００７０】
次に、図７を用いて、本実施形態に係る釣銭機システムを用いてレジ間で補充用貨幣の入出金を行う処理について説明する。ここでは、釣銭機１Ａの現金在高が不足し、釣銭機１Ｂから出金した補充用貨幣を、釣銭機１Ａに入金する場合について説明する。釣銭機１Ａが設置されているレジの係員Ａと、釣銭機１Ｂが設置されているレジの係員Ｂとの間で、補充用貨幣の授受について既に合意がなされているものとする。
【００７１】
（ステップＳ１０１）釣銭機１Ｂの操作表示部２１２が、係員Ｂから補充用貨幣の出金指示を受け付ける。具体的には、係員Ｂが、補充用貨幣として出金する貨幣の金種別枚数と、補充用貨幣の補充先（釣銭機１Ａ）とを、操作表示部２１２を介して入力する。
【００７２】
（ステップＳ１０２）釣銭機１Ｂが、指示された金種別枚数の貨幣を出金する。貨幣の出金には、硬貨釣銭機１００によるバラ硬貨の出金、紙幣釣銭機２００による紙幣の出金だけでなく、棒金収納部３００からの棒金の取り出しも含まれ得る。
【００７３】
釣銭機１Ｂから出金された貨幣は、係員Ａ、係員Ｂ、又は他の係員により釣銭機１Ａの元へ運ばれる。
【００７４】
（ステップＳ１０３）釣銭機１Ｂが、出金指示された貨幣の金種別枚数（又は実際に出金した貨幣の金種別枚数）に基づいて出金情報を作成する。
【００７５】
（ステップＳ１０４）釣銭機１Ｂが、出金情報を補充先釣銭機である釣銭機１Ａへ送信する。
【００７６】
（ステップＳ１０５）釣銭機１Ａが、釣銭機１Ｂから出金情報を受信し、この出金情報をメモリ２２０に書き込む。
【００７７】
（ステップＳ１０６）釣銭機１Ａの操作表示部２１２が、補充用貨幣の入金指示を受け付ける。これにより、釣銭機１Ａは入金待ち状態となる。
【００７８】
ステップＳ１０５で出金情報を受信してからステップＳ１０６で入金指示を受け付けるまでに所定時間以上経過した場合、釣銭機１Ａは警報を報知し、係員Ａに補充用貨幣の入金を促す。
【００７９】
（ステップＳ１０７）釣銭機１Ａに貨幣が投入される。
【００８０】
（ステップＳ１０８）釣銭機１Ａが、投入された貨幣を識別・計数する。
【００８１】
（ステップＳ１０９）ステップＳ１０８における識別・計数による計数結果と、ステップＳ１０５でメモリに書き込まれた出金情報に含まれる貨幣の金種別枚数とが照合される。照合結果が不一致の場合、釣銭機１Ａは警報を発し、係員Ａに、釣銭機１Ｂの出金額と釣銭機１Ａの入金額が不一致であることを報知する。
【００８２】
（ステップＳ１１０）釣銭機１Ａから釣銭機１Ｂに照合結果が通知される。照合結果が不一致の場合、釣銭機１Ｂは警報を発し、係員Ｂに、釣銭機１Ｂの出金額と釣銭機１Ａの入金額が不一致であったことを報知する。
【００８３】
このように本実施形態では、売り場にある釣銭機間で補充用貨幣を授受するため、店舗後方の現金処理機から補充用貨幣を運んでくるような従来のシステムと比較して、現金の運搬にかかる時間を短縮することができる。
【００８４】
また、補充用貨幣を出金する釣銭機が、補充先の釣銭機へ出金情報を送信し、補充先の釣銭機において、出金情報と、実際に入金された貨幣とを照合するため、違算の発生を防止することができる。また、照合結果が補充元釣銭機に通知されるため、補充用貨幣を厳正に管理できる。また、補充先の釣銭機は、出金情報を受信してから所定時間以内に補充用貨幣の入金が行われないと警報を発するため、レジ係員が補充用貨幣を入金し忘れることを防止できる。
【００８５】
このように、本実施形態に係る釣銭機システムによれば、レジ間（釣銭機間）での貨幣の補充を厳正に行い、違算の発生を防止することができる。また、釣銭機への貨幣補充を速やかに行うことができる。
【００８６】
上記第１の実施形態において、棒金収納部３００の制御部３３０は、紙幣釣銭機２００の制御部２３０でなく硬貨釣銭機１００の制御部１３０に接続されていてもよいし、制御部１３０、２３０の両方に接続されていてもよい。
【００８７】
また、紙幣釣銭機２００の操作表示部２１２でなく、硬貨釣銭機１００の操作表示部１１２を介して補充用貨幣の出金指示や入金指示を受け付けるようにしてもよい。
【００８８】
上記第１の実施形態では、３台の釣銭機１Ａ〜１Ｃを備える構成について説明したが、釣銭機は２台以上であれば何台でもよい。また、上記第１の実施形態では釣銭機１Ａ〜１Ｃ同士が通信接続する例について説明したが、レジスタ２Ａ〜２Ｃを互いに接続し、釣銭機１Ａ〜１Ｃはレジスタ２Ａ〜２Ｃを介して通信してもよい。また、補充用貨幣の出金指示や入金指示を受け付ける機能をレジスタ２Ａ〜２Ｃに設けてもよい。
【００８９】
また、釣銭機１Ａが出金情報を受信してから入金指示を受け付けるまでに所定時間以上経過した場合に警報を報知するようにしたが、入金指示の受け付けに代えて、貨幣の投入開始、貨幣の投入完了、投入貨幣の計数完了、または計数結果の照合完了などの処理を採用してもよい。すなわち、これらの入金処理のいずれかが所定時間以内に行われない場合に警報を報知するようにしてもよい。
【００９０】
（第２の実施形態）図８に本発明の第２の実施形態に係る釣銭機システムの概略構成を示す。釣銭機システムは、レジスタ２Ａ、２Ｂ、２Ｃから指示された金額の釣銭を出金することができる釣銭機１Ａ、１Ｂ、１Ｃと、釣銭機１Ａ〜１Ｃのうち２つの釣銭機の間での補充用貨幣の授受を管理する管理装置３と、を備える。釣銭機１Ａ〜１Ｃの基本的構成は、図２〜図６に示す上記第１の実施形態と同様であるため、説明を省略する。
【００９１】
上記第１の実施形態では、釣銭機１Ａ〜１Ｃが互いに通信可能に接続されていたが、本実施形態では、釣銭機１Ａ〜１Ｃはそれぞれ、管理装置３と通信可能に接続されている。具体的には、例えば、釣銭機１Ａ〜１Ｃの制御部２３０と管理装置３とが通信を行う。
【００９２】
釣銭機１Ａ〜１Ｃはそれぞれ、貨幣在高が少なくなった場合に、貨幣の補充を要求する補充要求信号を管理装置３へ出力する。「貨幣在高が少なくなった」とは、例えば、貨幣収納枚数が所定値以下になったことをいい、この所定値は金種毎に設定されている。釣銭機１Ａ〜１Ｃが出力する補充要求信号には、補充を要求する貨幣（補充用貨幣）の金種別枚数の情報が含まれている。
【００９３】
管理装置３は、釣銭機１Ａ〜１Ｃのいずれかから補充要求信号を受け取ると、補充用貨幣の金種別枚数の情報を取得する。そして、管理装置３は、この金種別枚数の補充用貨幣が出金可能であるか否かを、釣銭機１Ａ〜１Ｃに問い合わせる。このとき、管理装置３は、補充要求信号の出力元の釣銭機には問い合わせを行わなくてもよい。
【００９４】
釣銭機１Ａ〜１Ｃは、管理装置３から補充用貨幣の出金が可能であるか否かの問い合わせを受け付けると、自機の在高に基づいて、出金の可否を応答する。例えば、補充用貨幣を出金しても貨幣収納枚数が所定値より多い場合、釣銭機１Ａ〜１Ｃは、補充用貨幣の出金ができると応答する。一方、例えば、補充用貨幣を出金することで貨幣収納枚数が所定値以下になる場合、釣銭機１Ａ〜１Ｃは、補充用貨幣の出金ができないと応答する。釣銭機１Ａ〜１Ｃは、補充用貨幣の出金ができない場合、管理装置３に対して何も応答しなくてもよい。
【００９５】
管理装置３は、補充用貨幣を出金できるという応答のあった釣銭機の中から、補充用貨幣の出金を行う釣銭機を選定する。以下、補充用貨幣の出金を行う釣銭機を補充元釣銭機、補充用貨幣を入金する、すなわち補充要求信号を出力した釣銭機を補充先釣銭機と称する。補充用貨幣を出金できるという応答が複数の釣銭機からあった場合、管理装置３は、様々な条件で補充元釣銭機を選定することができ、例えば、最初に応答した釣銭機を補充元釣銭機として選定してもよいし、予め各釣銭機の位置を把握しておき、補充先釣銭機に最も近い釣銭機を補充元釣銭機として選定してもよい。
【００９６】
管理装置３は、補充元釣銭機に補充用貨幣の出金を指示するとともに、補充先釣銭機に補充用貨幣の入金を指示する。
【００９７】
補充元釣銭機は、管理装置３から補充用貨幣の出金指示を受け付けると、出金指示を受け付けたことを操作表示部２１２、操作表示部１１２、又はレジスタの画面の少なくともいずれか１つに表示する。補充用貨幣の出金指示には、補充先釣銭機の情報が含まれており、補充用貨幣がどの釣銭機へ補充されるかを画面に表示できる。
【００９８】
補充元釣銭機は、操作表示部２１２を介して補充用貨幣の出金命令が入力されると、硬貨釣銭機１００及び紙幣釣銭機２００が補充用貨幣を出金する。補充用貨幣として棒金を出金する場合は、棒金収納部３００のドロア３０２のロックが解除され、棒金が取り出し可能になる。棒金収納部３００は、取り出された棒金を検出し、制御部２３０に通知する。棒金収納部３００から取り出された棒金と、出金指示された補充用貨幣とが異なる場合、補充元釣銭機は警報を報知する。これにより、補充用貨幣に対応しない棒金が取り出されることを防止できる。
【００９９】
また、補充元釣銭機は、管理装置３から補充用貨幣の出金指示を受け付けてから、所定時間以内に補充用貨幣を出金しない場合、警報を報知する。これにより、補充用貨幣の出金忘れを防止できる。
【０１００】
補充元釣銭機は、補充用貨幣の出金を行うと、出金完了を管理装置３に通知する。管理装置３は、この通知を受け取ってから補充先釣銭機に補充用貨幣の入金を指示する。
【０１０１】
補充先釣銭機は、管理装置３から補充用貨幣の入金指示を受け付けると、入金指示を受け付けたことを操作表示部２１２、操作表示部１１２、又はレジスタの画面の少なくともいずれか１つに表示する。補充用貨幣の入金指示には、補充元釣銭機の情報が含まれており、補充用貨幣がどの釣銭機から出金されるかを画面に表示できる。
【０１０２】
補充先釣銭機は、操作表示部２１２を介して補充用貨幣の入金命令が入力されると、補充用貨幣の入金待機状態となる。硬貨釣銭機１００及び紙幣釣銭機２００は、補充用硬貨の入金待機状態で入金された貨幣を補充用貨幣として識別、計数、収納する。補充先釣銭機は、入金された補充用貨幣の計数結果（金種別枚数）を管理装置３に通知する。
【０１０３】
補充先釣銭機は、管理装置３から補充用貨幣の入金指示を受け付けてから、所定時間以内に補充用貨幣が入金されない場合、警報を報知する。これにより、補充用貨幣の入金忘れを防止できる。
【０１０４】
管理装置３は、補充元釣銭機に出金指示した補充用貨幣の金種別枚数と、補充先釣銭機から通知された補充用貨幣の金種別枚数とを照合する。照合結果が不一致の場合、管理装置３は警報を報知する。照合結果が一致の場合、管理装置３は補充処理が完了したことを補充元釣銭機に通知してもよい。
【０１０５】
次に、図９を用いて、本実施形態に係る釣銭機システムを用いてレジ間で補充用貨幣の入出金を行う処理について説明する。ここでは、釣銭機１Ａが補充先釣銭機、釣銭機１Ｂが補充元釣銭機となる場合について説明する。
【０１０６】
（ステップＳ２０１）釣銭機１Ａが、管理装置３に対して補充要求信号を出力する。この補充要求信号には補充用貨幣の金種別枚数が含まれている。
【０１０７】
（ステップＳ２０２）管理装置３が、補充要求信号に基づいて、補充用貨幣の出金が可能であるか否か釣銭機１Ｂ及び１Ｃに問い合わせる。
【０１０８】
（ステップＳ２０３）釣銭機１Ｂが、管理装置３に対して、補充用貨幣の出金が可能であると応答する。ここで、補充用貨幣の出金が可能な釣銭機がない場合は、レジ間での補充処理を打ち切り、釣銭機１Ａと店舗後方の現金処理機、または出納係の手持ち現金により補充する処理に切り替えるようにしてもよい。
【０１０９】
（ステップＳ２０４）管理装置３が、釣銭機１Ｂに対して補充用貨幣の出金を指示する。ここで、管理装置３は、釣銭機１Ｂに出金指示した補充用貨幣の金種別枚数を、図示しないメモリに記憶させておく。
【０１１０】
（ステップＳ２０５）釣銭機１Ｂが設置されているレジの係員Ｂが、操作表示部２１２を介して補充用貨幣の出金命令を与える。この出金命令に基づいて、釣銭機１Ｂが補充用貨幣を出金する。補充用貨幣の出金には、硬貨釣銭機１００によるバラ硬貨の出金、紙幣釣銭機２００による紙幣の出金だけでなく、棒金収納部３００からの棒金の取り出しも含まれ得る。
【０１１１】
なお、係員Ｂが、操作表示部２１２を介して補充用貨幣の出金命令を与えてから釣銭機１Ｂが補充用貨幣を出金するとしたのは、顧客の購入商品の精算処理などを行っている最中に補充用貨幣が出金されることを防止するためである。
【０１１２】
ステップＳ２０４で管理装置３から出金指示を受信してから、ステップＳ２０５で出金命令を与えられるまでに所定時間以上経過した場合、釣銭機１Ｂは警報を報知し、係員Ｂに補充用貨幣の出金を促す。
【０１１３】
（ステップＳ２０６）釣銭機１Ｂが、補充用貨幣の出金完了を管理装置３に通知する。
【０１１４】
（ステップＳ２０７）管理装置３が、釣銭機１Ａに対して補充用貨幣の入金を指示する。釣銭機１Ａの操作表示部１１２、２１２、又はレジスタ２Ａのディスプレイに補充元釣銭機が釣銭機１Ｂであることが表示される。
【０１１５】
釣銭機１Ａが設置されているレジの係員Ａは、表示内容を確認し、釣銭機１Ｂが設置されているレジへ移動し、係員Ｂから補充用貨幣を受け取って、釣銭機１Ａが設置されているレジに戻る。補充用貨幣の移送は他の係員が行ってもよい。
【０１１６】
（ステップＳ２０８）係員Ａが、釣銭機１Ａの操作表示部２１２を介して補充用貨幣の入金命令を与える。この入金命令に基づいて、釣銭機１Ａは補充用貨幣の入金待ち状態となる。
【０１１７】
なお、係員Ａが、操作表示部２１２を介して補充用貨幣の入金命令を与えることで釣銭機１Ａが補充用貨幣の入金待ち状態になるとしたのは、顧客の購入商品の精算処理などを行っている最中に補充用貨幣の入金待ち状態になり、顧客の支払い金が補充用貨幣として扱われることを防止するためである。
【０１１８】
ステップＳ２０７で管理装置３から入金指示を受信してから、ステップＳ２０８で入金命令を与えられるまでに所定時間以上経過した場合、釣銭機１Ａは警報を報知し、係員Ａに補充用貨幣の入金を促す。
【０１１９】
（ステップＳ２０９）釣銭機１Ａに補充用貨幣が投入される。釣銭機１Ａは、補充用貨幣を識別・計数する。
【０１２０】
（ステップＳ２１０）釣銭機１Ａが補充用貨幣の計数結果（金種別枚数）を管理装置３に通知する。
【０１２１】
（ステップＳ２１１）管理装置３が、ステップ２０４でメモリに記憶させておいた補充用貨幣の金種別枚数と、ステップＳ２１０で釣銭機１Ａから通知された計数結果とを照合する。照合結果が一致している場合、補充処理は正常終了となる。照合結果が不一致の場合、管理装置３は警報を発し、釣銭機１Ｂの出金額と釣銭機１Ａの入金額が不一致であることを報知する。
【０１２２】
このように本実施形態では、売り場にある釣銭機間で補充用貨幣を授受するため、店舗後方の現金処理機から補充用貨幣を運んでくるような従来のシステムと比較して、現金の運搬にかかる時間を短縮することができる。
【０１２３】
また、管理装置３が、補充元釣銭機へ出金指示した補充用貨幣と、補充先釣銭機に実際に入金された補充用貨幣とを照合するため、違算の発生を防止することができる。また、補充先釣銭機は、管理装置３から補充用貨幣の入金指示を受信してから所定時間以内に補充用貨幣の入金が行われないと警報を発するため、レジ係員が補充用貨幣を入金し忘れることを防止できる。
【０１２４】
このように、本実施形態に係る釣銭機システムによれば、レジ間（釣銭機間）での貨幣の補充を厳正に行い、違算の発生を防止することができる。また、釣銭機への貨幣補充を速やかに行うことができる。
【０１２５】
本実施形態では、補充先釣銭機が補充用貨幣の金種別枚数を含む補充要求信号を管理装置３へ出力していたが、補充用貨幣の金種を含む補充要求信号を管理装置３へ出力し、補充用貨幣の枚数は管理装置３が決定してもよい。
【０１２６】
また、補充先釣銭機が入金指示を受信してから入金命令が与えられるまでに所定時間以上経過した場合に警報を報知するようにしたが、入金命令が与えられることに代えて、貨幣の投入開始、貨幣の投入完了、投入貨幣の計数完了、または計数結果の照合完了などの処理を採用してもよい。すなわち、これらの入金処理のいずれかが所定時間以内に行われない場合に警報を報知するようにしてもよい。
【０１２７】
（第２の実施形態の変形例）上記第２の実施形態において、釣銭機１Ａ〜１Ｃが機内の在高データを管理装置３へ随時出力し、管理装置３が各釣銭機の在高をリアルタイムに管理していてもよい。
【０１２８】
この場合、管理装置３は、釣銭機１Ａ〜１Ｃのいずれかから補充要求信号を受け取ると、補充用貨幣の出金可否の問い合わせは行わず、各釣銭機の在高に基づいて補充元釣銭機となる釣銭機を選定する。例えば、管理装置３は、補充用貨幣の在高が最も多い釣銭機を補充元釣銭機として選定する。
【０１２９】
また、管理装置３は、補充要求信号を受信する前に、各釣銭機の在高に基づいて、補充元釣銭機と補充先釣銭機を選定するとともに、補充用貨幣の金種別枚数を決定し、補充用貨幣の授受を行うように補充用貨幣の出金指示、入金指示を行ってもよい。
【０１３０】
（第３の実施形態）本発明の第３の実施形態に係る釣銭機システムは、図１〜図６に示す上記第１の実施形態と同様の構成であるため、図１〜図６を用いて説明を行う。上記第１の実施形態では釣銭機の貨幣在高が少なくなった場合に貨幣の補充処理を行っていたのに対し、本実施形態では貨幣の両替を行う点が異なる。
【０１３１】
具体的には、紙幣釣銭機２００の操作表示部２１２が、上記第１の実施形態では補充用貨幣の出金指示や入金指示を受け付けていたのに対し、本実施形態では両替貨幣の出金指示や入金指示を受け付ける。
【０１３２】
紙幣釣銭機２００の操作表示部２１２を介して両替貨幣の出金指示を受け付けた場合の制御部１３０、２３０の処理について説明する。この出金指示には、出金すべき両替貨幣の金種別枚数と、出金した両替貨幣が入金される釣銭機の情報とが含まれている。
【０１３３】
操作表示部２１２が両替貨幣の出金指示を受け付けると、制御部２３０は、指示された金種別枚数に含まれる紙幣分を払出部２１６から放出させる。また、制御部２３０は、出金指示された金額に含まれる硬貨分を制御部１３０に通知する。制御部１３０は制御部２３０から通知された金額の硬貨を硬貨払出部１１６から払い出す。
【０１３４】
制御部２３０は、両替貨幣の出金後、出金した両替貨幣の金種別枚数を、出金した両替貨幣が入金される他釣銭機へ送信する。
【０１３５】
また、両替貨幣の出金指示に棒金硬貨の出金が含まれている場合、制御部２３０は制御部３３０に棒金硬貨の出金を通知する。制御部３３０は、制御部２３０からの通知に伴いドロア３０２のロックを解除して引き出し（開放）可能にする。制御部３３０は、ドロア３０２が引き出された後に戻される（閉鎖される）と、ドロア３０２をロックするとともに、棒金収納部３００内に収納されている棒金の金種別個数を算出する。そして、制御部３３０は、ドロア３０２の開放前の棒金の金種別個数と閉鎖後の棒金の金種別個数との差から、棒金収納部３００から取り出された棒金の金種別個数を算出し、制御部２３０に通知する。棒金１個あたりの硬貨の枚数は、金種毎に予め定められた枚数となっているので、棒金の金種別個数から硬貨の金種別枚数を算出し、出金金額を知ることができる。制御部２３０は、この金額（金種別枚数）と、出金指示された金額とを比較し、一致していればこの金種別枚数を出金した両替貨幣とする。
【０１３６】
次に、紙幣釣銭機２００の操作表示部２１２を介して両替貨幣の入金指示を受け付けた場合の処理について説明する。入金指示を受け付けた場合の処理は、事前に出金指示を受け付けて両替貨幣を出金したか否かによって異なる。
【０１３７】
第１釣銭機と第２釣銭機との間で貨幣の両替を行う場合、まず第１釣銭機が第１金種からなる第１両替貨幣を出金する。第２釣銭機は、第１両替貨幣が入金されると、第１両替貨幣を、第１金種とは異なる第２金種からなる第２両替貨幣に両替して出金する。そして、第２両替貨幣が第１釣銭機に入金される。従って、第１釣銭機の立場で両替貨幣の入金指示を受け付けた場合と、第２釣銭機の立場で両替貨幣の入金指示を受け付けた場合とで、処理が異なる。
【０１３８】
まず、事前に出金指示を受け付けて両替貨幣を出金した後に、両替貨幣の入金指示を受け付けた場合の処理、すなわち上述の第１釣銭機における処理について説明する。このとき釣銭機に入金される両替貨幣は、自機で事前に出金した第１金種からなる第１両替貨幣が、他の釣銭機で第２金種（≠第１金種）に両替された第２両替貨幣である。
【０１３９】
釣銭機は、入金された第２両替貨幣を識別、計数し、第２両替貨幣の合計金額と、事前に出金した第１両替貨幣の合計金額とを照合する。照合結果が一致していれば、２つの釣銭機間での両替は正しく行われていたことになる。照合結果が不一致の場合、釣銭機は警報を報知する。
【０１４０】
続いて、事前に出金指示を受け付けていない状態で、両替貨幣の入金指示を受け付けた場合の処理、すなわち上述の第２釣銭機における処理について説明する。このとき釣銭機に入金される両替貨幣は、他の釣銭機で出金された第１金種からなる第１両替貨幣であり、第１両替貨幣を出金した釣銭機から第１両替貨幣の金種別枚数が通知されている。
【０１４１】
釣銭機は、入金された第１両替貨幣を識別、計数し、入金額と同額の第２金種からなる第２両替貨幣を出金する。この第２金種は、操作表示部２１２を介して入力してもよいし、第１両替貨幣を出金した他釣銭機から通知されてもよい。
【０１４２】
第２両替貨幣の出金は、棒金硬貨の出金でもよい。棒金硬貨を出金する場合、制御部２３０が制御部３３０に棒金硬貨の出金を通知する。制御部３３０は、制御部２３０からの通知に伴いドロア３０２のロックを解除して引き出し（開放）可能にする。制御部３３０は、ドロア３０２が引き出された後に戻される（閉鎖）されると、ドロア３０２をロックするとともに、棒金収納部３００内に収納されている棒金の合計金額を算出する。そして、制御部３３０は、ドロア３０２の開放前の棒金合計金額と閉鎖後の棒金合計金額との差から、棒金収納部３００から取り出された棒金の金種別枚数を算出し、制御部２３０に通知する。制御部２３０は、制御部３３０から通知された金額と、入金された第１両替貨幣の金額とを比較し、不一致の場合は警報を報知する。
【０１４３】
さらに、釣銭機は、他釣銭機から通知されている第１両替貨幣の金種別枚数と、入金された第１両替貨幣の金種別枚数とを照合し、照合結果を、第１両替貨幣を出金した釣銭機に通知してもよい。また、釣銭機は、照合結果が不一致の場合、警報を報知してもよい。
【０１４４】
次に、図１０を用いて、本実施形態に係る釣銭機システムを用いてレジ間で行われる両替処理の一例を説明する。ここでは、釣銭機１Ａで１００円硬貨が不足し、釣銭機１Ａから出金された紙幣を釣銭機１Ｂが１００円硬貨に両替する場合について説明する。釣銭機１Ａが設置されているレジの係員Ａと、釣銭機１Ｂが設置されているレジの係員Ｂとの間で、両替について既に合意がなされているものとする。
【０１４５】
（ステップＳ３０１）釣銭機１Ａの操作表示部２１２が、係員Ａから両替貨幣の出金指示を受け付ける。具体的には、係員Ａが、両替貨幣として出金する貨幣の金種別枚数と、両替先（釣銭機１Ｂ）とを、操作表示部２１２を介して入力する。ここでは、５０００円札１枚の両替貨幣の出金が指示されたものとする。
【０１４６】
（ステップＳ３０２）釣銭機１Ａが５０００円札を１枚出金する。釣銭機１Ａから出金された５０００円札は、係員Ａ、係員Ｂ、又は他の係員により釣銭機１Ｂの元へ運ばれる。
【０１４７】
（ステップＳ３０３）釣銭機１Ａが、５０００円札１枚を出金したことを示す出金情報を釣銭機１Ｂに通知する。
【０１４８】
（ステップＳ３０４）釣銭機１Ｂの操作表示部２１２が、両替貨幣の入金指示を受け付ける。これにより、釣銭機１Ｂは入金待ち状態となる。
【０１４９】
ステップＳ３０３で釣銭機１Ａから出金情報が通知されてからステップＳ３０４で入金指示を受け付けるまでに所定時間以上経過した場合、釣銭機１Ｂは警報を報知し、係員Ｂに両替貨幣の入金を促す。
【０１５０】
（ステップＳ３０５）釣銭機１Ｂに貨幣（５０００円札１枚）が投入される。
【０１５１】
（ステップＳ３０６）釣銭機１Ｂが、投入された貨幣を識別・計数する。釣銭機１Ｂは、計数結果と、ステップＳ３０３で釣銭機１Ａから通知された出金情報とを照合してもよい。
【０１５２】
（ステップＳ３０７）釣銭機１Ｂが１００円硬貨５０枚を出金する。硬貨の出金は棒金収納部３００からの棒金取り出しも含まれ得る。１００円硬貨を出金することは、ステップＳ３０４の入金指示の際に入力してもよいし、ステップＳ３０３で出金情報とともに釣銭機１Ａから通知されていてもよい。
【０１５３】
（ステップＳ３０８）釣銭機１Ｂが釣銭機１Ａに対して出金完了を通知する。
【０１５４】
（ステップＳ３０９）釣銭機１Ａの操作表示部２１２が、両替貨幣の入金指示を受け付ける。これにより、釣銭機１Ａは入金待ち状態となる。
【０１５５】
ステップＳ３０８で釣銭機１Ｂから出金完了を通知されてからステップＳ３０９で入金指示を受け付けるまでに所定時間以上経過した場合、釣銭機１Ａは警報を報知し、係員Ａに両替貨幣の入金を促す。
【０１５６】
（ステップＳ３１０）釣銭機１Ａに貨幣（１００円硬貨５０枚）が投入される。
【０１５７】
（ステップＳ３１１）釣銭機１Ａが、投入された貨幣を識別・計数する。
【０１５８】
（ステップＳ３１２）釣銭機１Ａが、ステップＳ３１１における計数結果と、ステップＳ３０２で出金した貨幣の金額とを照合する。照合結果が一致していれば、両替処理は正常に終了する。照合結果が不一致の場合、釣銭機１Ａは警報を発し、係員Ａに、両替金額が一致していないことを報知する。
【０１５９】
このように本実施形態では、売り場にある釣銭機間で両替を行うことで不足した貨幣を補充するため、店舗後方の現金処理機から貨幣を運んでくるような従来のシステムと比較して、現金の運搬にかかる時間を短縮することができる。
【０１６０】
また、釣銭機は、入金された両替貨幣の金額と、事前に出金した両替貨幣の金額とを照合するため、違算の発生を防止することができる。また、釣銭機間での貨幣補充でなく貨幣両替であり、各釣銭機に収納されている貨幣の合計金額は変わらないため、店舗の営業終了後に行われる各レジでの売上と釣銭機内の貨幣在高との照合作業が煩雑になることを防止できる。
【０１６１】
上述したように、第１釣銭機と第２釣銭機との間で貨幣の両替を行う場合、第１釣銭機による第１金種からなる第１両替貨幣の出金、第２釣銭機への第１両替貨幣の入金、第２釣銭機による第２金種からなる第２両替貨幣の出金、第１釣銭機への第２両替貨幣の入金が順に行われる。このとき、第１金種が第２金種より高額な場合と低額な場合とがある。
【０１６２】
第１金種が第２金種より高額な場合とは、例えば、図１０で説明したような、硬貨の不足した第１釣銭機が紙幣を出金し、第２釣銭機が紙幣を硬貨に両替し、第１釣銭機に硬貨が入金されるような「紙幣先出し、硬貨後出し」の場合である。
【０１６３】
一方、第１金種が第２金種より低額な場合とは、例えば、第１釣銭機から出金された硬貨が、硬貨の不足している第２釣銭機に入金され、第２釣銭機は入金硬貨と同額の紙幣を出金し、第１釣銭機にこの紙幣が入金されるような「硬貨先出し、紙幣後出し」の場合である。従って、例えば、釣銭機１Ａで１００円硬貨が不足した場合、まず、釣銭機１Ｂが１００円硬貨５０枚をバラ硬貨又は棒金で出金し、この１００円硬貨５０枚を釣銭機１Ａに入金した後に、釣銭機１Ａが５０００円札１枚を出金し、この５０００円札１枚を釣銭機１Ｂに入金するようにしてもよい。
【０１６４】
上述した例では、高額金種の貨幣を紙幣、低額金種の貨幣を硬貨としていたが、高額金種の貨幣、低額金種の貨幣は、両方とも紙幣であってもよいし、硬貨であってもよい。例えば、高額金種の貨幣を１００００円札、低額金種の貨幣を１０００円札とすることができる。また、高額金種の貨幣を５００円硬貨、低額金種の貨幣を１０円硬貨とすることができる。
【０１６５】
上記第３の実施形態において、釣銭機から出金される両替貨幣は、単一金種の貨幣から構成されているものに限定されず、複数の金種の貨幣から構成されていてもよい。
【０１６６】
（第４の実施形態）本発明の第４の実施形態に係る釣銭機システムは、図８に示す上記第２の実施形態と同様の構成であるため、図８を用いて説明を行う。上記第２の実施形態では管理装置３が、２つの釣銭機の間での補充用貨幣の授受を管理していたのに対し、本実施形態では２つの釣銭機の間での貨幣の両替を管理する点が異なる。
【０１６７】
また、釣銭機１Ａ〜１Ｃはそれぞれ、貨幣在高が少なくなった場合に、貨幣の両替を要求する両替要求信号を管理装置３へ出力する。「貨幣在高が少なくなった」とは、例えば、貨幣収納枚数が所定値以下になったことをいい、この所定値は金種毎に設定されている。釣銭機１Ａ〜１Ｃが出力する両替要求信号には、自機が出金する貨幣の金種別枚数と、他の釣銭機により出金される貨幣の金種別枚数とを規定した両替内容が含まれている。
【０１６８】
例えば、１００円硬貨の収納枚数が所定値以下になった釣銭機が、「自機が５０００円紙幣１枚を出金し、他の釣銭機が１００円硬貨を５０枚出金する」ことを規定した両替内容を含む両替要求信号を管理装置３へ出力する。
【０１６９】
管理装置３は、釣銭機１Ａ〜１Ｃのいずれかから両替要求信号を受け取ると、両替内容に基づいて、両替貨幣が出金可能であるか否かを、釣銭機１Ａ〜１Ｃに問い合わせる。このとき、管理装置３は、両替要求信号の出力元の釣銭機には問い合わせを行わなくてもよい。例えば、両替内容に「自機が５０００円紙幣１枚を出金し、他の釣銭機が１００円硬貨を５０枚出金する」ことが規定されていた場合、管理装置３は、１００円硬貨５０枚の両替貨幣の出金が可能であるか否かを釣銭機１Ａ〜１Ｃに問い合わせる。
【０１７０】
釣銭機１Ａ〜１Ｃは、管理装置３から両替貨幣の出金が可能であるか否かの問い合わせを受け付けると、自機の在高に基づいて、出金の可否を応答する。釣銭機１Ａ〜１Ｃは、両替貨幣の出金ができない場合、管理装置３に対して何も応答しなくてもよい。
【０１７１】
管理装置３は、両替貨幣を出金できるという応答のあった釣銭機の中から、両替貨幣の出金を行う釣銭機を選定する。以下、両替要求信号を出力した釣銭機を両替元釣銭機、両替貨幣の出金を行う釣銭機を両替先釣銭機、両替元釣銭機が出金する両替用の貨幣を両替元貨幣、両替先釣銭機が両替出金した貨幣を両替済貨幣と称する。
【０１７２】
管理装置３は、両替元釣銭機に両替元貨幣の出金を指示し、両替先釣銭機に両替元貨幣の両替を指示する。
【０１７３】
両替元釣銭機は、管理装置３から両替元貨幣の出金指示を受け付けると、出金指示を受け付けたことを操作表示部２１２、操作表示部１１２、又はレジスタの画面の少なくともいずれか１つに表示する。両替元貨幣の出金指示には、両替先釣銭機の情報が含まれており、両替元貨幣がどの釣銭機で両替されるかを画面に表示できる。
【０１７４】
両替元釣銭機は、操作表示部２１２を介して両替元貨幣の出金命令が入力されると、硬貨釣銭機１００及び紙幣釣銭機２００が両替元貨幣を出金する。
【０１７５】
また、両替元釣銭機は、管理装置３から両替元貨幣の出金指示を受け付けてから、所定時間以内に両替元貨幣を出金しない場合、警報を報知する。これにより、両替元貨幣の出金忘れを防止できる。
【０１７６】
両替元釣銭機は、両替元貨幣の出金を行うと、出金完了を管理装置３に通知する。管理装置３は、この通知を受け取ってから両替先釣銭機に両替元貨幣の両替を指示する。
【０１７７】
両替先釣銭機は、管理装置３から両替元貨幣の両替指示を受け付けると、両替指示を受け付けたことを操作表示部２１２、操作表示部１１２、又はレジスタの画面の少なくともいずれか１つに表示する。両替指示には、両替元釣銭機の情報が含まれており、両替元貨幣がどの釣銭機から出金されるかを画面に表示できる。また、両替指示には、どの金種を用いて両替を行うかについての情報も含まれている。
【０１７８】
両替先釣銭機は、操作表示部２１２を介して両替元貨幣の入金命令が入力されると、両替元貨幣の入金待機状態となる。硬貨釣銭機１００及び紙幣釣銭機２００は、両替元硬貨の入金待機状態で入金された貨幣を両替元貨幣として識別、計数、収納する。そして、両替先釣銭機は、管理装置３からの両替指示に基づいて、入金された両替元貨幣を両替し、両替済貨幣を出金する。
【０１７９】
棒金収納部３００からの棒金硬貨の取り出しを両替済貨幣の出金としてもよい。棒金収納部３００から取り出された棒金の金額と、両替元貨幣の金額とが異なる場合、両替先釣銭機は警報を報知する。
【０１８０】
両替先釣銭機は、両替済貨幣を出金すると、管理装置３に出金完了を通知する。管理装置３は、この通知を受け取ってから両替元釣銭機に両替済貨幣の入金を指示する。
【０１８１】
両替元釣銭機は、管理装置３から両替済貨幣の入金指示を受け付けると、入金指示を受け付けたことを操作表示部２１２、操作表示部１１２、又はレジスタの画面の少なくともいずれか１つに表示する。
【０１８２】
両替元釣銭機は、操作表示部２１２を介して両替済貨幣の入金命令が入力されると、両替済貨幣の入金待機状態となる。硬貨釣銭機１００及び紙幣釣銭機２００は、両替済貨幣の入金待機状態で入金された貨幣を両替済貨幣として識別、計数、収納する。そして、両替元釣銭機は、入金された両替済貨幣の計数結果を管理装置３に通知する。
【０１８３】
管理装置３は、両替元釣銭機に出金指示した両替元貨幣の金額と、両替元釣銭機から通知された両替済貨幣の計数結果とを照合する。照合結果が不一致の場合、管理装置３は警報を報知する。照合結果が一致の場合、管理装置３は両替処理が完了したことを両替元釣銭機や両替先釣銭機に通知してもよい。
【０１８４】
次に、図１１を用いて、本実施形態に係る釣銭機システムを用いてレジ間で両替処理を行う方法について説明する。ここでは、１００円硬貨の不足した釣銭機１Ａが両替元釣銭機となり、釣銭機１Ｂが両替先釣銭機となる場合について説明する。
【０１８５】
（ステップＳ４０１）釣銭機１Ａが、管理装置３に対して両替要求信号を出力する。この両替要求信号には、自機が５０００円札１枚を出金し、他の釣銭機が５０００円札１枚を１００円硬貨５０枚に両替するという両替内容が含まれている。
【０１８６】
（ステップＳ４０２）管理装置３が、両替要求信号に基づいて、１００円硬貨５０枚（両替済貨幣）の出金が可能であるか否か釣銭機１Ｂ及び１Ｃに問い合わせる。
【０１８７】
（ステップＳ４０３）釣銭機１Ｂが、管理装置３に対して、１００円硬貨５０枚（両替済貨幣）の出金が可能であると応答する。
【０１８８】
（ステップＳ４０４）管理装置３が、釣銭機１Ａに対して５０００円札１枚（両替元貨幣）の出金を指示する。ここで、管理装置３は、釣銭機１Ａに出金指示した両替元貨幣の金額を、図示しないメモリに記憶させておく。
【０１８９】
（ステップＳ４０５）釣銭機１Ａが設置されているレジの係員Ａが、操作表示部２１２を介して両替元貨幣の出金命令を与える。この出金命令に基づいて、釣銭機１Ａが５０００円札１枚（両替元貨幣）を出金する。
【０１９０】
ステップＳ４０４で管理装置３から受信した出金指示には、釣銭機１Ｂが５０００円札１枚（両替元貨幣）を１００円硬貨に両替するという情報が含まれており、釣銭機１Ａの操作表示部１１２、２１２、又はレジスタ２Ａのディスプレイに両替先釣銭機が釣銭機１Ｂであることが表示される。
【０１９１】
釣銭機１Ａが設置されているレジの係員Ａは、表示内容を確認し、釣銭機１Ｂが設置されているレジへ５０００円札１枚（両替元貨幣）を持って行く。貨幣の移送は他の係員が行ってもよい。
【０１９２】
ステップＳ４０４で管理装置３から出金指示を受信してから、ステップＳ４０５で出金命令を与えられるまでに所定時間以上経過した場合、釣銭機１Ａは警報を報知し、係員Ａに両替元貨幣の出金を促す。
【０１９３】
（ステップＳ４０６）釣銭機１Ａが、両替元貨幣の出金完了を管理装置３に通知する。
【０１９４】
（ステップＳ４０７）管理装置３が、釣銭機１Ｂに対して両替を指示する。
【０１９５】
（ステップＳ４０８）釣銭機１Ｂが設置されているレジの係員Ｂが、釣銭機１Ｂの操作表示部２１２を介して両替元貨幣の入金命令を与える。この入金命令に基づいて、釣銭機１Ｂは両替元貨幣の入金待ち状態となる。
【０１９６】
この入金待ち状態で釣銭機１Ｂに両替元貨幣が投入されると、釣銭機１Ｂは、両替元貨幣を識別・計数した上で、両替済貨幣を出金する。出金された両替済貨幣は係員Ａ、係員Ｂ、又は他の係員により釣銭機１Ａへ移送される。
【０１９７】
両替済貨幣に用いる貨幣の金種は、ステップＳ４０７で管理装置３から指示されていてもよいし、係員Ｂが操作表示部２１２を介して入力してもよいし、ステップＳ４０２における管理装置３からの問い合わせ内容に基づいて決定してもよい。
【０１９８】
（ステップＳ４０９）釣銭機１Ｂが両替済貨幣の出金完了を管理装置３に通知する。
【０１９９】
（ステップＳ４１０）管理装置３が釣銭機１Ａに両替済貨幣の入金を指示する。
【０２００】
（ステップＳ４１１）係員Ａが、釣銭機１Ａの操作表示部２１２を介して両替済貨幣の入金命令を与える。この入金命令に基づいて、釣銭機１Ａは両替済貨幣の入金待ち状態となる。
【０２０１】
（ステップＳ４１２）釣銭機１Ａに両替済貨幣が投入されると、釣銭機１Ａは、両替済貨幣を識別・計数・収納する。
【０２０２】
（ステップＳ４１３）釣銭機１Ａが、ステップＳ４１２における両替済貨幣の計数結果を管理装置３に通知する。
【０２０３】
（ステップＳ４１４）管理装置３が、ステップ４０４で釣銭機１Ａに出金指示した両替元貨幣の金額と、ステップＳ４１３で釣銭機１Ａから通知された計数結果とを照合する。照合結果が一致している場合、両替処理は正常に終了する。照合結果が不一致の場合、管理装置３は警報を発し、釣銭機１Ａと釣銭機１Ｂとの間での両替処理が正常に行われていないことを報知する。
【０２０４】
このように本実施形態では、売り場にある釣銭機間で両替を行って、不足した貨幣を補充するため、店舗後方の現金処理機から貨幣を運んでくるような従来のシステムと比較して、現金の運搬にかかる時間を短縮することができる。
【０２０５】
また、管理装置３が、釣銭機へ出金指示した両替元貨幣の金額と、この釣銭機に入金された両替済貨幣の金額とを照合するため、違算の発生を防止することができる。また、釣銭機間での貨幣補充でなく貨幣両替であり、各釣銭機に収納されている貨幣の合計金額は変わらないため、店舗の営業終了後に行われる各レジでの売上と釣銭機内の貨幣在高との照合作業が煩雑になることを防止できる。
【０２０６】
図１１では、釣銭機１Ａが出金した紙幣（高額貨幣）を釣銭機１Ｂが硬貨（低額貨幣）に両替し、硬貨が釣銭機１Ａに入金される例について説明したが、管理装置３は、まず釣銭機１Ｂに硬貨（低額貨幣）を出金するように指示してもよい。この場合、両替要求信号を出力した釣銭機１Ａにおいて、硬貨（低額貨幣）が紙幣（高額貨幣）に両替され、その後、紙幣が釣銭機１Ｂに入金される。
【０２０７】
（第４の実施形態の変形例）上記第４の実施形態において、釣銭機１Ａ〜１Ｃが機内の在高データを管理装置３へ随時出力し、管理装置３が各釣銭機の在高をリアルタイムに管理していてもよい。
【０２０８】
この場合、管理装置３は、釣銭機１Ａ〜１Ｃのいずれかから両替要求信号を受け取ると、両替済貨幣（両替要求信号を出力した釣銭機で不足している金種の貨幣）の出金可否の問い合わせは行わず、各釣銭機の在高に基づいて両替先釣銭機となる釣銭機を選定する。例えば、管理装置３は、両替済貨幣の在高が最も多い釣銭機を両替先釣銭機として選定する。
【０２０９】
また、管理装置３は、両替要求信号を受信する前に、各釣銭機の在高に基づいて、両替元釣銭機と両替先釣銭機を選定するとともに、両替元貨幣及び両替済貨幣の金種別枚数を決定し、両替元釣銭機と両替先釣銭機との間で両替が行われるように、両替元貨幣、両替済貨幣の出金指示、入金指示を行ってもよい。
【０２１０】
上記第２の実施形態、第４の実施形態、及びそれらの変形例において、管理装置３は、釣銭機１Ａ〜１Ｃのいずれかに設けられていてもよい。
【０２１１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０２１２】
１Ａ、１Ｂ、１Ｃ  釣銭機
２Ａ、２Ｂ、２Ｃ  レジスタ
３  管理装置
１００  硬貨釣銭機
２００  紙幣釣銭機
３００  棒金収納部
【図１】
0005815248.tif 000002
【図２】
0005815248.tif 000003
【図３】
0005815248.tif 000004
【図４】
0005815248.tif 000005
【図５】
0005815248.tif 000006
【図６】
0005815248.tif 000007
【図７】
0005815248.tif 000008
【図８】
0005815248.tif 000009
【図９】
0005815248.tif 000010
【図１０】
0005815248.tif 000011
【図１１】
0005815248.tif 000012